(57)【要約】【課題】透明基板の背面に配置された表示装置に表示される画像の奥行き感が低減された表示装置付き透明基板を提供すること。【解決手段】光を透過する透過部と、前記透過部の周囲に設けられ、一方の面に着色層が形成された遮光部とを備える透明基板と、前記透明基板の前記一方の面に設けられ、画像を表示する表示部が前記透過部に接着剤を介して接合された表示装置と、を有し、前記透明基板は、前記透過部の面積が前記表示部の面積よりも小さく、前記遮光部が前記表示装置の外周縁及び前記表示部の外周縁を含む領域に設けられている表示装置付き透明基板。【選択図】図１
2017134091.tif 000002
【特許請求の範囲】
【請求項１】
光を透過する透過部と、前記透過部の周囲に設けられ、一方の面に着色層が形成された遮光部とを備える透明基板と、
前記透明基板の前記一方の面に設けられ、画像を表示する表示部が前記透過部に接着剤を介して接合された表示装置と、を有し、
前記透明基板は、前記透過部の面積が前記表示部の面積よりも小さく、前記遮光部が前記表示装置の外周縁及び前記表示部の外周縁を含む領域に設けられている
ことを特徴とする表示装置付き透明基板。
【請求項２】
前記透明基板は、厚さが３ｍｍ以上である
ことを特徴とする請求項１に記載の表示装置付き透明基板。
【請求項３】
前記表示部の外周縁と前記遮光部の内周縁との間隔は、全周にわたって１ｍｍ以上であることを特徴とする請求項１又は２に記載の表示装置付き透明基板。
【請求項４】
前記透明基板は、前記透過部を除く全面に前記遮光部が設けられている
ことを特徴とする請求項１から３の何れか一項に記載の表示装置付き透明基板。
【請求項５】
請求項１から４の何れか一項に記載の表示装置付き透明基板を天板として備えるテーブル。
【発明の詳細な説明】
【技術分野】
【０００１】
本発明は、表示装置付き透明基板及びこれを備えるテーブルに関する。
【背景技術】
【０００２】
ガラス板等の透明基板の背面に液晶パネルが配置され、透明基板の前面側から液晶パネルに表示される画像が見えるように構成された電子機器が知られている（例えば、特許文献１参照）。
【先行技術文献】
【特許文献】
【０００３】
【特許文献１】国際公開第２０１４／３４３１２号パンフレット
【発明の概要】
【発明が解決しようとする課題】
【０００４】
上記した特許文献１に係る構成では、液晶パネルが透明基板の背面に配置されるため、透明基板の前面と液晶パネルとの間に奥行きが生じ、使用者からは液晶パネルが透明基板の表面から奥に位置するように見える。このような透明基板の表面と液晶パネルとの間の奥行き感によって、使用者が液晶パネルに表示される画像に違和感を覚える可能性がある。
【０００５】
本発明は上記に鑑みてなされたものであって、透明基板の背面に配置された表示装置に表示される画像の奥行き感が低減された表示装置付き透明基板を提供することを目的とする。
【課題を解決するための手段】
【０００６】
本発明の一態様の表示装置付き透明基板によれば、光を透過する透過部と、前記透過部の周囲に設けられ、一方の面に着色層が形成された遮光部とを備える透明基板と、前記透明基板の前記一方の面に設けられ、画像を表示する表示部が前記透過部に接着剤を介して接合された表示装置と、を有し、前記透明基板は、前記透過部の面積が前記表示部の面積よりも小さく、前記遮光部が前記表示装置の外周縁及び前記表示部の外周縁を含む領域に設けられている。
【発明の効果】
【０００７】
本発明の実施形態によれば、透明基板の背面に配置された表示装置に表示される画像の奥行き感が低減された表示装置付き透明基板が提供される。
【図面の簡単な説明】
【０００８】
【図１】実施形態における表示装置付き透明基板を例示する図である。
【図２】図１のＡ−Ａ断面概略図である。
【図３】実施形態における表示装置付き透明基板を例示する図である。
【図４】実施形態における表示装置付き透明基板を例示する図である。
【図５】実施形態における表示装置付き透明基板を備えるテーブルを例示する図である。
【発明を実施するための形態】
【０００９】
以下、図面を参照して発明を実施するための形態について説明する。各図面において、同一構成部分には同一符号を付し、重複した説明を省略する場合がある。
【００１０】
［表示装置付き透明基板］
図１は、実施形態における表示装置付き透明基板１００を例示する図である。また、図２は、図１のＡ−Ａ断面概略図である。
【００１１】
表示装置付き透明基板１００は、図１及び図２に示すように、透過部１及び遮光部２を備える透明基板１０、透過部１に設けられる表示装置３０を有する。なお、以下において、透明基板１０の表示装置３０側の面を背面、透明基板１０の表示装置３０とは反対側の面を前面として説明する。
【００１２】
＜透明基板＞
透明基板１０は、例えばソーダライムガラス、アルミノシリケートガラス、アルミノボロシリケートガラス、無アルカリガラス等の無機ガラス、もしくはポリカーボネート樹脂、アクリル樹脂等からなる有機ガラス等である。また、透明基板１０は、複数のガラス板が貼り合わされた合わせガラスであってもよい。
【００１３】
透明基板１０が無機ガラスである場合には、例えば化学強化処理又は物理強化処理等の表面強化処理が施されていてもよい。
【００１４】
また、透明基板１０の前面には、機能膜が設けられてもよい。機能膜としては、例えばシリケートや金属酸化物の薄膜や類似の薄膜が形成されたフィルム等からなる反射防止膜が挙げられる。反射防止膜は、スパッタリング法、蒸着法、湿式コーティング法等により、透明基板１０の表面に直接形成されてもよく、上記したフィルムが貼り付けられることで形成されてもよい。このような反射防止膜によって反射が抑制され、外部から表示装置３０に表示される画像をより鮮明に見ることが可能になる。
【００１５】
また、機能膜としては、フッ素樹脂やシリコーン樹脂などの樹脂薄膜が蒸着や粘着層などを介して透明基板１０の表面に形成された、防汚、撥水・撥油機能膜等であってもよい。特に最外層にフッ素樹脂を有する機能膜は、透明基板１０に防汚性能や易清浄性を付与できるため好ましい。
【００１６】
なお、本実施形態における透明基板１０は矩形であるが、矩形以外の任意の形状であってもよい。また、透明基板１０の厚さは、例えば２〜６ｍｍである。
【００１７】
（透過部及び遮光部）
透明基板１０は、図１及び図２に示すように、光を透過する透過部１、背面に着色層２０が形成された遮光部２を有する。
【００１８】
透過部１は、透明基板１０の背面に着色層２０が形成されておらず、周囲が遮光部２に囲まれて光を透過する部分である。透過部１の背面には、表示装置３０が設けられ、透明基板１０の前面側から透過部１を介して表示装置３０に表示される画像を見ることが可能になっている。なお、本実施形態において、透過部１の形状は矩形であるが、矩形以外の任意の形状であってもよい。
【００１９】
遮光部２は、透明基板１０の背面に着色層２０が形成されて不透明な部分であり、透明基板１０の前面側から背面側が見えないように遮蔽する。
【００２０】
着色層２０は、例えばセラミック顔料を含む塗料を用いたスクリーン印刷等によって所定の領域に形成される。着色層２０は不透明な層であればよく、例えばインクジェット印刷等の異なる方法により形成されてもよく、不透明なフィルム等が貼合されることで形成されてもよい。
【００２１】
透明基板１０は、上記したスクリーン印刷等により背面に着色層２０が形成された部分が遮光部２となり、周囲が遮光部２に囲まれて背面に着色層２０が形成されていない部分が透過部１となる。
【００２２】
また、例えば透明基板１０の所定領域にマスキングテープを貼り、透明基板１０の背面全体に着色層２０を形成した後に、マスキングテープを剥がすことで、マスキングテープが貼られていた所定領域を透過部１とし、透過部１を除く領域を遮光部２としてもよい。あるいは、例えば透明基板１０の背面全体に着色層２０を形成した後に、薬液を用いた処理やサンドブラスト処理等により着色層２０を除去することで、所定領域に透過部１を形成し、透過部１を除く領域を遮光部２としてもよい。
【００２３】
なお、遮光部２は、図１に示すように、透明基板１０の透過部１を除く全面に設けられてもよく、図３に示すように、透過部１の周囲部分にのみ設けられてもよい。なお、ここでいう全面とは、透明基板１０の周縁部分近傍に遮光部２が形成されないような場合も含み、実質的に全面に設けられている場合を含む。遮光部２が透過部１の周囲部分にのみ設けられる場合には、遮光部２の形状は矩形の枠状に限らず、任意の形状であってもよい。また、透過部１は、図４に示すように、透明基板１０の異なる位置に複数設けられてもよい。透過部１が複数設けられる場合には、各透過部１の背面に表示装置３０が接合される。
【００２４】
＜表示装置＞
透明基板１０の透過部１の背面には、表示装置３０が設けられている。表示装置３０は、例えば液晶ディスプレイ装置、有機ＥＬディスプレイ装置、プラズマディスプレイ装置等である。表示装置３０は、例えば不図示の記憶装置に記憶されている画像や、ネットワークを介して接続するコンピュータやサーバ等から送信される画像を表示部３０ａに表示する。
【００２５】
表示装置３０は、図２に示すように、表示部３０ａと透明基板１０の透過部１の背面との間に充填される接着剤１１により、透明基板１０の透過部１の背面に密接するように接合されている。
【００２６】
（接着剤）
表示装置３０と透明基板１０の透過部１との接合に用いられる接着剤１１は、例えば透明樹脂や、液状の硬化性樹脂組成物等である。例えば接着剤１１が硬化性樹脂組成物である場合には、透過部１の背面に未硬化の樹脂組成物を塗布して表示装置３０を配置した後、樹脂組成物を硬化させることで、表示装置３０を透明基板１０の透過部１に接合できる。
【００２７】
接着剤１１は、２５℃におけるせん断弾性率が、例えば１０３Ｐａ〜１０７Ｐａであることが好ましく、１０４Ｐａ〜１０６Ｐａであることがより好ましい。特に、接着剤１１の２５℃におけるせん断弾性率が１０４Ｐａ〜１０５Ｐａである場合には、表示装置３０と透明基板１０との接合の際に生じ得る空隙を比較的容易に消失させることができる。
【００２８】
接着剤１１の２５℃におけるせん断弾性率が１０３Ｐａ以上の場合には、塗布された接着剤１１の形状が維持され易くなる。したがって、塗布された接着剤１１の厚さが比較的厚い場合であっても、接着剤１１全体で厚さが均一に維持され、表示装置３０と透明基板１０との接合時に、表示装置３０と接着剤１１との界面に空隙が発生し難くなる。
【００２９】
また、接着剤１１は、２５℃におけるせん断弾性率が１０４Ｐａ以上で変形が抑制され、２５℃におけるせん断弾性率が１０７Ｐａ以下で、表示装置３０と透明基板１０の透過部１との接合密着性が向上する。
【００３０】
接着剤１１の厚さは、例えば０．０３ｍｍ〜２ｍｍが好ましく、０．１ｍｍ〜１ｍｍがより好ましい。接着剤１１の厚さが０．０３ｍｍ以上であれば、透明基板１０の前面から外力等が加わった際に、接着剤１１が外力による衝撃を十分に低減し、表示装置３０を保護できる。また、表示装置３０と透明基板１０との間に、接着剤１１の厚さ未満の寸法の異物が混入しても、接着剤１１の厚さが変化しないため、異物混入による視認性への影響が抑制される。また、表示装置３０の表示部３０ａの視認性が低下するため、接着剤１１の厚さは２ｍｍ以下であることが好ましい。
【００３１】
＜透過部、遮光部及び表示装置の構成＞
本実施形態における透明基板１０は、図１，３，４に示すように、透過部１の面積が表示装置３０の表示部３０ａの面積よりも小さく、遮光部２が表示装置３０の外周縁及び表示部３０ａの外周縁を含む領域に設けられている。すなわち、表示装置３０は、表示部３０ａの面積が透過部１の面積よりも大きく、外周縁が透過部１の周囲に形成されている遮光部２に重なるように、透明基板１０の背面に接合されている。
【００３２】
このような構成により、表示装置３０の外周縁及び表示部３０ａの外周縁が、透明基板１０の前面側から見えなくなり、表示装置付き透明基板１００の意匠性が向上する。さらに、透明基板１０の前面から表示部３０ａの外周縁が見えなくなることで、表示部３０ａに表示される画像が、透明基板１０の前面側に浮き上がって見えるような効果が得られる。
【００３３】
したがって、透明基板１０の背面に表示装置３０が配置されることによる透明基板１０の前面から表示部３０ａまでの奥行き感が減少し、表示部３０ａに表示される画像の違和感が低減される。
【００３４】
上記した効果は、透明基板１０の厚さが３ｍｍ以上の場合に特に得られ易い。また、図１に示す表示装置３０の表示部３０ａの外周縁と遮光部２の内周縁との間隔Ｓは、全周にわたって１ｍｍ以上形成されることが好ましい。この場合において、間隔Ｓは全周において同じ大きさに設けられてもよく、部分的に異なる大きさに設けられてもよい。なお、表示装置３０の表示部３０ａの外周縁と遮光部２の内周縁との間隔Ｓは、透明基板１０の前面から斜めに表示部３０ａを見ても、表示部３０ａの外周縁が遮光部２の背後に隠れて見えないように、透明基板１０の厚さ等に応じて適宜設定される。
【００３５】
なお、本実施形態では、透明基板１０の厚さは５ｍｍであり、図１に示すように、表示装置３０の表示部３０ａの外周縁と遮光部２の内周縁との間隔Ｓが全周にわたって３ｍｍになるように、透過部１、遮光部２及び表示装置３０が構成されている。このような構成により、透明基板１０の前面から斜めに表示部３０ａを見ても、表示部３０ａの外周縁は遮光部２の背後に隠れて見え難くなるため、表示部３０ａに表示される画像が透明基板１０の前面側に浮き上がって見えるという効果が保たれる。
【００３６】
以上で説明したように、本実施形態に係る表示装置付き透明基板１００は、透明基板１０の背面に設けられる表示装置３０の外周縁及び表示部３０ａの外周縁を含む領域に遮光部２が形成されている。このような構成により、表示装置３０の表示部３０ａに表示される画像が透明基板１０の前面側に浮き上がるように見え、透明基板１０の背面に配置されている表示装置３０の表示部３０ａに表示される画像の違和感が低減される。
【００３７】
上記した表示装置付き透明基板１００は、図５に示すように、例えばテーブル２００の天板として使用されてもよい。テーブル２００は、例えば会議室等に設置され、表示装置３０の表示部３０ａに会議資料等が表示される。
【００３８】
また、表示装置付き透明基板１００を水平配置してテーブル２００の天板とする上記例の他に、建築物の内装・間仕切りや外壁等に表示装置付き透明基板１００を垂直又は傾斜配置してもよい。この場合には、表示装置３０に建築物の地図、催し物案内、その他各種情報又は宣伝広告画像等が表示される。さらに、表示装置付き透明基板１００は、バスや電車等の公共交通機関において、例えばバス停の待合所や駅のホーム等に設けられてもよい。この場合には、表示装置３０の表示部３０ａに時刻表や各種宣伝広告画像等が表示される。上記した実施形態において、例えば表示装置付き透明基板１００にタッチパネルや各種センサ等を設け、利用者が操作して必要な情報を選択して表示できるように構成してもよい。
【００３９】
以上、実施形態に係る表示装置付き透明基板及びテーブルについて説明したが、本発明は上記実施形態に限定されるものではなく、本発明の範囲内で種々の変形及び改良が可能である。
【符号の説明】
【００４０】
１  透過部
２  遮光部
１０  透明基板
１１  接着剤
２０  印刷層
３０  表示装置
３０ａ  表示部
１００  表示装置付き透明基板
２００  テーブル
【図１】
2017134091.tif 000003
【図２】
2017134091.tif 000004
【図３】
2017134091.tif 000005
【図４】
2017134091.tif 000006
【図５】
2017134091.tif 000007